【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
顔に接触する側を含む鼻シールであって、前記鼻シールが、軟質の可撓性材料で形成され、かつ鼻の基底にわたって延在する中央部分と、前記中央部分の各端部から延出する側部部分とを含み、各側部部分が鼻の側面にわたって延在する、鼻シールと、
前記鼻シールに接続された本体であって、前記鼻シールの外に向く側に係合する鼻シール係合部分と、入口開口部と、少なくとも２つのストラップ係合部分とを含み、各ストラップ係合部分が、前記入口開口部の対向する側から、前記入口開口部から横方向に離れて延出する、本体と、
前記ストラップ係合部分間に延在するストラップと、
を含む患者用インターフェースであって、
前記本体の中央部分が、全体的に前記本体の外壁の凸形状に適合する凸形状を画成し、前記ストラップ係合部分が、前記中央部分の横方向末端部から延出し、前記ストラップ係合部分が、前記中央部分の凸形状に対して外向きに位置合わせされた角度で前記中央部分から離れて延出する、患者用インターフェース。
【請求項２】
前記鼻シールは、膨張可能である、請求項１に記載の患者用インターフェース。
【請求項３】
前記本体は、前記鼻シールよりも剛性の高い材料で形成されている、請求項１または２に記載の患者用インターフェース。
【請求項４】
前記本体は、患者の上唇の輪郭にほぼ沿うように湾曲している、請求項１〜３のいずれか一項に記載の患者用インターフェース。
【請求項５】
前記鼻シールは、前記鼻シールの外に向く側にシール開口部を含む、請求項１〜４のいずれか一項に記載の患者用インターフェース。
【請求項６】
前記シール開口部は、前記本体の範囲と同じ大きさであり、前記範囲は、前記鼻シールの大まかな幅と同じであり、かつ患者の鼻の幅とほぼ同じである、請求項５に記載の患者用インターフェース。
【請求項７】
前記シール開口部は、前記本体の近似曲線に沿う、請求項５または６に記載の患者用インターフェース。
【請求項８】
前記シール開口部は、前記シール開口部の周囲に位置するリップおよび／またはチャネルを含む、請求項５〜７のいずれか一項に記載の患者用インターフェース。
【請求項９】
前記本体は、受け口の開口部のちょうど反対側にある出口開口部を含み、前記受け口の前記開口部は、前記本体の中心に位置しており、前記出口開口部は、前記シール開口部の前記リップおよび／またはチャネルに係合するためのチャネルおよび／またはリップを含む、請求項８に記載の患者用インターフェース。
【請求項１０】
前記シール開口部は、前記鼻シールと前記本体との係合を促進するクリップ部分を含む、請求項５〜７のいずれか一項に記載の患者用インターフェース。
【請求項１１】
前記クリップ部分は、前記シール開口部の周囲に取り付けられるかまたはオーバーモールドされる、請求項１０に記載の患者用インターフェース。
【請求項１２】
一対のサイドアームが、前記本体から、前記鼻シールの全幅を越えて延在し、前記サイドアームの各々は、前記ストラップと係合するためのコネクタ部分を含む、請求項１〜１１のいずれか一項に記載の患者用インターフェース。
【請求項１３】
前記サイドアームの前記コネクタ部分は、周囲に刻み目のある固定ポストを含む、請求項１２に記載の患者用インターフェース。
【請求項１４】
前記ストラップは、前記ストラップの各端部に形成されて前記サイドアームの前記コネクタ部分に係合するための小さなループを含む、請求項１３に記載の患者用インターフェース。
【請求項１５】
前記小さなループは、前記固定ポストに引っ掛かり前記刻み目に係合する、請求項１４に記載の患者用インターフェース。
【請求項１６】
一対の中央側部部分であって、各々が前記受け口および各サイドアームの左側面と右側面との間に延在する一対の中央側部部分を含み、前記中央側部部分の各々は、ガス逃がし通気孔の一部として小開口を含む、請求項９に記載の患者用インターフェース。
【請求項１７】
前記鼻シールの顔に接触する側は、柔軟性があり、内部圧力下で、前記鼻シールの前記側部部分において前記鼻の側面の外表面を含め、患者の鼻の表面に適合する、請求項１〜１６のいずれか一項に記載の患者用インターフェース。
【請求項１８】
前記鼻シールの前記側部部分は、各々、外方面部分と、内方面部分と、前記内方面部分と前記外方面部分とを接合する周縁部分とを含む、請求項１〜１７のいずれか一項に記載の患者用インターフェース。
【請求項１９】
前記外方面部分は、前記鼻シールが圧力下で膨張するときに、前記鼻シールの前記側部部分の外側への屈曲に耐える、請求項１８に記載の患者用インターフェース。
【請求項２０】
前記中央部分は、前記シール開口部の上下に延在し、前記中央部分は、前記シール開口部の上下に薄くて柔軟性がある領域を含む、請求項５〜１１のいずれか一項に記載の患者用インターフェース。
【請求項２１】
前記シール開口部の上側では、前記中央部分は、外面壁部分、内面壁部分および周囲部分を含み、少なくとも前記内面壁部分および前記周囲部分は、薄くて柔軟性がある、請求項２０に記載の患者用インターフェース。
【請求項２２】
前記シール開口部の下側では、前記中央部分は、外壁部分、内壁部分および周辺部分を含み、少なくとも前記内壁部分および前記周辺部分は、薄くて柔軟性がある、請求項２０または２１に記載の患者用インターフェース。
【請求項２３】
前記鼻シールは、患者の口を覆う延出部を含む、請求項１〜２２のいずれか一項に記載の患者用インターフェース。
【請求項２４】
前記延出部は、患者の口に向けられた出口を含む、請求項２３に記載の患者用インターフェース。
【請求項２５】
前記鼻シールの全体的な平面形態は、放物線、半楕円形、半長円形またはＵ字形である、請求項１〜２４のいずれか一項に記載の患者用インターフェース。
【請求項２６】
前記ストラップは、患者の頭部の後ろ側を周って延在し、前記患者用インターフェースに追加的な張力をかけ、前記患者用インターフェースが患者の顔にシールするのを助ける、請求項１〜２５のいずれか一項に記載の患者用インターフェース。
【請求項２７】
前記ストラップは、中空チューブである、請求項１〜２６のいずれか一項に記載の患者用インターフェース。
【請求項２８】
前記ストラップは、細長い中空チューブである、請求項１〜２７のいずれか一項に記載の患者用インターフェース。
【請求項２９】
前記ストラップは、延伸可能である、請求項１〜２８のいずれか一項に記載の患者用インターフェース。
【請求項３０】
前記ストラップは、前記ストラップを患者の頭部に良好に適合させるための伸縮可能な部位を有する、請求項２９に記載の患者用インターフェース。
【請求項３１】
前記ストラップは、糸で編まれたチューブを含む、請求項１〜３０のいずれか一項に記載の患者用インターフェース。
【請求項３２】
前記糸で編まれたチューブは、高弾性の第１の材料のフィラメントおよび前記第１の材料よりも硬い第２の材料のフィラメントを組み込む、請求項３１に記載の患者用インターフェース。
【請求項３３】
前記ストラップは、伸長可能な材料の単一の長さ部分を有する、請求項１〜３２のいずれか一項に記載の患者用インターフェース。
【請求項３４】
前記ストラップは、剛性部位を有するサイドストラップを含み、前記サイドストラップに追加的な安定性をもたらす、請求項１〜３２のいずれか一項に記載の患者用インターフェース。